(57)【要約】【課題】ロール紙から切断された小型サイズの券紙の姿勢を搬送途中で横向きから縦向きへ正確に９０度転換して、券紙の搬送をガイドし磁気情報処理部へ搬送することができ、かつ大型サイズの券紙をそのままの状態でガイドして搬送することができる発券ユニットの姿勢転換装置を提供すること。【解決手段】券紙のうち搬送方向に対して横向きで搬送される券紙を縦向きに回転させ、ガイドする姿勢転換部と、券紙のうち搬送方向に対して縦向きで搬送される券紙をそのままの状態でガイドして搬送する搬送ガイド部とを一体にして備え、姿勢転換部と搬送ガイド部とを切換える。【選択図】　　　　図２
2004013496.tif 000002
【特許請求の範囲】
【請求項１】
１つのロール紙から２種類以上のサイズの券紙を切り出すカッタと切り出された券紙の一方の面に印字を行う印字部と前記券紙の他方の面に磁気情報を書込む磁気情報処理部とを有する発券ユニットにおいて、
前記券紙のうち搬送方向に対して横向きで搬送される券紙を縦向きに回転させ、ガイドする姿勢転換部と、
前記券紙のうち搬送方向に対して縦向きで搬送される券紙をそのままの状態でガイドして搬送する搬送ガイド部とを一体にして備えたことを特徴とする発券ユニットの姿勢転換装置。
【請求項２】
前記姿勢転換部と前記搬送ガイド部の切換えができることを特徴とする請求項１に記載の発券ユニットの姿勢転換装置。
【発明の詳細な説明】
【０００１】
【発明の属する技術分野】
本発明は、発券ユニットの姿勢転換装置に関し、特に、２種類のサイズの券を発券する発券ユニットにおいて、小さい方の券紙の搬送中の姿勢を途中で転換する発券ユニットの姿勢転換装置に関する。
【０００２】
【従来の技術】
駅務機器である自動券売機および自動精算機や駐車場発券機または遊園地などに設置されている券売機に用いられる発券ユニットでは、その使用態様により、大きさの異なる多種類の券を発行することを要求されることがある。例えば、駅務機器である自動券売機では、通常の乗車券のサイズであるいわゆる「エドモンソン券」と呼ばれる小型サイズの長方形の券と、特急券等の大型サイズの長方形の券を発券する発券ユニットが必要となる。
【０００３】
従来は、小型サイズの券を発券する発券ユニットと大型サイズの券を発券する発券ユニットを別々に設けることが必要となっていた。このため、２種類の券を発券するのに２台の発券ユニットが必要となり、２台分の設置スペースを必要としていた。また、１台の発券ユニットで大小２種類のサイズの券を発券するためには、発券ユニット内に各サイズ対応するロール紙が必要となり、発券ユニットが全体として大型になってしまっていた。
【０００４】
そこで、小型サイズの券紙の長辺の長さと同じく長方形の大型サイズの券紙の短辺の長さを同一とすることで、同一の幅のロール紙から切り出すことができるようにし、同一のロール紙から大小２種類のサイズの券と大型サイズの券を発券する発券ユニットが開発され、使用されている。この場合において、切り出された直後、小型サイズの券紙は搬送方向に対して横向きに搬送され、大型サイズの券紙は搬送方向に対して縦向きに搬送される。
【０００５】
ここで、小型サイズの券の磁気情報の書き込み位置と大型サイズの券の磁気情報の書き込み位置は、自動改札機等での磁気情報の読み取り位置との関係から決まっている。つまり、長方形の形状をした券の長手方向に磁気情報が書き込まれることとなっている。このため、同一のロール紙から切り出した小型サイズの券と大型サイズの券を発券する発券ユニットの場合、切断直後に搬送方向に対して横向きに搬送される小型サイズの券を搬送途中で搬送方向に対して縦向きになるように姿勢を９０度転換させて磁気情報書き込み部へ搬送しなければならない。
【０００６】
【発明が解決しようとする課題】
従来の発券ユニットでは、上述した小型サイズの券の搬送途中での姿勢転換を、搬送路上のピンによって行っていた。これは、小型サイズの券が搬送されてきたときに、ピンを搬送路上に出没させるのみの簡単なものではあるが、確実に９０度転換させるものではなかった。また、大型券の搬送をガイドするものではなかった。
【０００７】
本発明の目的は、上記の問題に鑑み、ロール紙から切断された小型サイズの券紙の姿勢を搬送途中で横向きから縦向きへ正確に９０度転換して、券紙の搬送をガイドし磁気情報処理部へ搬送することができる発券ユニットの姿勢転換装置を提供することにある。
【０００８】
【課題を解決するための手段および作用】
本発明に係る発券ユニットの姿勢転換装置は、上記課題を解決するために、次のように構成される。
【０００９】
本発明に係る第１の発券ユニットの姿勢転換装置（請求項１に対応）は、１つのロール紙から２種類以上のサイズの券紙を切り出すカッタと切り出された券紙の一方の面に印字を行う印字部と券紙の他方の面に磁気情報を書込む磁気情報処理部とを有する発券ユニットであって、券紙のうち搬送方向に対して横向きで搬送される券紙を縦向きに回転させ、ガイドする姿勢転換部と、券紙のうち搬送方向に対して縦向きで搬送される券紙をそのままの状態でガイドして搬送する搬送ガイド部とを一体にして備えたことを特徴とする。
【００１０】
第１の発券ユニットの姿勢転換装置によれば、例えば小型サイズの券紙に対しては搬送方向に対して横向きの搬送から縦向きの搬送へと転換し、ガイドする。また、大型サイズの券紙に対しては搬送方向に対して縦向きの搬送をガイドする。
【００１１】
本発明に係る第２の発券ユニットの姿勢転換装置（請求項２に対応）は、上記構成において、好ましくは、姿勢転換部と搬送ガイド部の切換えができることを特徴とする。
【００１２】
第２の発券ユニットの姿勢転換装置によれば、例えば、小型サイズの券紙が搬送されてきたときと、大型サイズの券紙が搬送されてきたときとで姿勢転換と搬送ガイドに切換えるので、両サイズの券紙を正確に縦向きで搬送させることができる。
【００１３】
【発明の実施の形態】
以下、本発明の好適な実施形態を添付図面に基づいて説明する。
【００１４】
本実施形態で説明される構成、形状については本発明が理解・実施できる程度に概略的に示したものにすぎない。従って本発明は、添付図面に示された実施の形態に限定されるものではなく、特許請求の範囲に記載された範囲内において適宜変更が可能である。
【００１５】
図１は、本実施形態に係る姿勢転換装置２０を備えた発券ユニット１０の構造を概略的に示した図である。本実施形態に係る姿勢転換装置２０を備えた発券ユニット１０は、駅務機器である自動券売機および自動精算機や駐車場発券機または遊園地などに設置されている券売機に用いられる。発券ユニット１０は、ロール紙格納部１１を有している。このロール紙格納部１１には、小型サイズの券紙の長辺の長さ、すなわち大型サイズの券紙の短辺の長さと同一の長さの幅を持つロール紙１２が格納されている。
【００１６】
ロール紙１２の先端部は、ロール紙挿入部材１３を介してそれぞれガイド部材１４に挿入される。ガイド部材１４は筒形状となっている。ロール紙１２はガイド部材１４の終端部から搬送ベルト１５を介して搬送される。搬送経路上に設けられたローラ２２は券種に応じてロール紙１２を送る。送られたロール紙１２は、制御部２１によって制御される小型券用カッタ２３と大型券用カッタ２４で、券種に応じて切断される。小型券用カッタ２３と大型券用カッタ２４の下流には印字部２５が配置されている。
【００１７】
小型券用カッタ２３または大型券用カッタ２４で切断されたロール紙１２は券紙Ｔとして搬送され、印字部２５で所定の印字が行われる。券紙Ｔの表面には発行駅名、発行日付けおよび券種に応じた金額、券番号等が印字される。印字部２５の下流には、姿勢転換部２６が配置されている。
【００１８】
印字部２５で印字された券紙Ｔが小型サイズの券である場合、姿勢転換部２６で横向きから縦向きへ正確に９０度転換させられ、搬送される。印字部２５で印字が行われた券紙Ｔが大型サイズの券である場合、そのままの搬送方向で姿勢転換部２６によりガイドされながら縦向きで搬送される。姿勢転換部２６による小型サイズの券紙の姿勢転換および大型サイズの券紙の搬送ガイドの切り換えは、ソレノイド２７による可動部２７Ｔの上下駆動によって行われる。この姿勢転換部２６の下流には、磁気情報処理部２８が配置されており、搬送されてきた小型サイズの券紙と大型サイズの券紙の裏面の搬送方向に沿った所定の位置に磁気情報が書き込まれる。
【００１９】
磁気情報処理部２８は、発行駅名、発行日付けおよび券種に応じた金額、券番号等の情報を書込む書込みヘッド（図示せず）と、書き込まれた情報を読み取る読取りヘッド（図示せず）から構成される。読取りヘッドで読みとられた情報は、制御部２１に送信され、書込みヘッドによって書き込まれた情報と照合される。制御部２１では、照合により券紙Ｔに書込み情報が正確に書き込まれているか否かを判定し、読み取り不能等の異常と判定されたときには、廃券として回収箱（図示せず）へ回収する。
【００２０】
印字および正確に磁気情報の書込みが行われた券紙Ｔは、搬送ベルト１５に挟持されて発券口１６へ搬送される。発券口１６の手前には、利用者に対し券紙Ｔを取りやすいようにするため、搬送力によって発券口１６から飛び出さないように券紙Ｔを一時的に保持するキャッチングローラ１７が設けられている。このキャッチングローラ１７に挟持された券紙Ｔは、その先端部が発券口１６から突出した状態で保持される。利用者はこの突出した券紙Ｔの先端部を掴んで引き抜くことができるので、券紙Ｔが取りやすくなる。
【００２１】
次に、本実施形態に係る姿勢転換装置２０を図２に従って説明する。図２は、本実施形態に係る姿勢転換装置２０の要部構成図である。姿勢転換装置２０は、制御部２１および制御部２１に制御されるローラ２２、小型券用カッタ２３、大型券用カッタ２４、印字部２５とソレノイド２７、磁気情報処理部２８とソレノイド２７による可動部２７Ｔの上下駆動によって上下に駆動する姿勢転換部２６とから構成される。制御部２１には、利用者の券種の選択による信号Ｓが入ってくるので、その信号Ｓに応じて上記制御対象を制御する。
【００２２】
ローラ２２は券種に応じてロール紙１２を送る。前回切断時に小型券用カッタ２３によってロール紙１２が切断されたときは、小型サイズに応じた長さのロール紙１２を送る。一方、前回切断時に大型券用カッタ２４によってロール紙１２が切断されたときは、大型券サイズに応じた長さのロール紙１２を送る。小型券用カッタ２３および大型券用カッタ２４は、制御部２１からの信号によって作動する。
【００２３】
ここで、小型サイズの券紙と大型サイズの券紙の切断位置を図３に示すロール紙１２の図を用いて説明する。ロール紙１２の幅Ｄは小型サイズの長辺の長さおよび大型サイズの短辺の長さと同じである。このため、幅Ｄを有するロール紙１２から小型サイズの券紙Ｔ１を切断するには、小型サイズの短辺の長さＤ１でロール紙１２を切断すればよい。また、大型サイズの券紙Ｔ２を切断するには、大型サイズの長辺の長さＤ２でロール紙１２を切断すればよい。
【００２４】
小型券用カッタ２３および大型券用カッタ２４の下流には印字部２５が設けられている。印字部２５には制御部２１から券種に係る信号が送られているので、券種に応じて券紙Ｔに対して印字がなされる。このとき、小型サイズの券紙は搬送方向に対して横向きで搬送されてきて、大型サイズの券紙は搬送方向に対して縦向きで搬送されてくるので、印字部２５による印字が券種に応じて切り換わる。
【００２５】
印字された券紙Ｔは、磁気情報を書き込むために正確に縦向きで搬送される必要がある。このため、磁気情報処理部２８の上流には姿勢転換部２６が設けられる。この姿勢転換部２６は小型サイズの券紙に対しては、搬送方向に対して横向きから縦向きへ９０度の姿勢転換を行い、大型サイズの券紙に対しては搬送ガイドとして作用する。姿勢転換部２６の２つの状態の切換えは、ソレノイド２７によって行われる。このソレノイド２７は制御部２１からの券種に係る信号に応じて行われる。
【００２６】
姿勢転換部２６によって、姿勢転換または搬送ガイドされて縦向きで搬送された券紙Ｔに対して、磁気情報処理部２８では、磁気情報の書込み、読み込みおよび書込みと読み込みの照合が行われる。書込み情報と読み込み情報の照合の結果、異常と判定されたときは、廃券として回収箱（図示せず）に回収される。次に、姿勢転換部の詳細な説明をする。
【００２７】
図４は、姿勢転換部２６の平面図である。姿勢転換部２６は搬送ガイド２６Ａと小型券姿勢転換部２６Ｂとこれらを繋げる橋部２６Ｃと小型券用ガイド２６Ｄとから構成される。搬送ベルト１５による券紙Ｔの搬送方向は、図中の矢印で示す方向である。
【００２８】
図５は、姿勢転換部２６を搬送方向から見た図である。搬送ガイド２６Ａは小型券姿勢転換部２６Ｂよりも厚く、小型券用ガイド２６Ｄが設けられている。搬送ガイド２６Ａと小型券姿勢転換部２６Ｂとは、橋部２６Ｃで繋がっている。橋部２６Ｃには、可動部２７Ｔを介してソレノイド２７が備えられているので、ソレノイド２７の上下切換駆動によって搬送ガイド２６Ａと小型券姿勢転換部２６Ｂとが同時に上下運動し、小型券に対する姿勢転換と大型券に対するガイドとの切換えが行われる。なお、図５では搬送ベルト１５が小型サイズの券紙Ｔ１を挟持している状態を示している。
【００２９】
図６は、姿勢転換部２６を搬送方向から見た図である。図５で示した要素と同一の要素には同一の符号を付し、適宜説明を省略する。図６では搬送ベルト１５が大型サイズの券紙Ｔ２を挟持している状態を示している。券紙Ｔ２は、搬送ガイド２６Ａのガイド部２６Ｇによってガイドされて搬送される。
【００３０】
図７および図８は、搬送ベルト１５に対する姿勢転換部２６の位置を側面から見た図である。図７は、小型サイズの券紙Ｔ１が搬送されてくるときの搬送ベルト１５と姿勢転換部２６との相対位置関係を示している。小型サイズの券紙Ｔ１は、ロール紙１２から切り出され搬送方向に対して横向きのまま搬送されてくる。そこで、小型券姿勢転換部２６Ｂに当接し横向きから縦向きへ９０度転換される。このとき、小型券用ガイド２６Ｄによってガイドされる。
【００３１】
図８は、大型サイズの券紙Ｔ２が搬送されてくるときの搬送ベルト１５と姿勢転換部２６との相対位置関係を示している。大型サイズの券紙Ｔ２は搬送ベルト１５によって挟持され、小型券姿勢転換部２６Ｂに当接せずに搬送ガイド２６Ａのガイド部２６Ｇにガイドされつつ姿勢転換部２６を搬送方向に対して縦向きで搬送されていく。
【００３２】
図９〜図１１は、小型サイズの券紙Ｔ１が搬送されてくるときの姿勢転換部２６による姿勢転換を時系列で図示したものである。図９は、小型券用カッタ２３によってロール紙１２から切り出された券紙Ｔ１が横向きの状態で搬送されていることを示す図である。券紙Ｔ１は、ロール紙１２から搬送方向に対して横向きの状態で切り出され、そのままの状態で印字され、搬送される。図１０は、姿勢転換部２６の小型券姿勢転換部２６Ｂで券紙Ｔ１が横向きから縦向きへ回転することを示す図である。搬送ベルト１５に挟持され搬送されている券紙Ｔ１は、小型券姿勢転換部２６Ｂに当接し回転する。搬送ベルト１５による挟持の力は、券紙Ｔ１が回転可能な程度の力となっている。図１１は、小型券姿勢転換部２６Ｂによって回転し、搬送ガイド２６Ａによってガイドされた券紙Ｔ１が縦向きで搬送されていることを示す図である。券紙Ｔ１は、回転後に搬送ガイド２６Ａの小型券用ガイド２６Ｄでガイドされて、正確に横向きから縦向きへ９０度転換され搬送される。
【００３３】
図１２は、大型サイズの券紙Ｔ２が縦向きで搬送されていくときの図である。大型サイズの券紙Ｔ２が搬送されるときには、搬送ベルト１５と姿勢転換部２６の相対的な位置が図８に示したようになるので、小型券姿勢転換部２６Ｂには当接せずに、搬送ガイド２６Ａにガイドされつつ姿勢転換部２６を縦向きで搬送されていく。以上のようにして搬送された券紙Ｔ１および券紙Ｔ２は、正確に搬送方向に対して縦向きで磁気情報処理部２８へ搬送される。
【００３４】
磁気情報処理部２８へ搬送された券紙Ｔは、所定位置に磁気情報が書き込まれる。図１３および図１４は、券紙Ｔ１と券紙Ｔ２がそれぞれ所定の位置ＭＩ１とＭＩ２に磁気情報が書き込まれた状態を示している。小型サイズの券紙Ｔ１は切断後に搬送方向に対して横向きで搬送されるが、姿勢転換部２６によって回転され縦向きとなり搬送される。縦向きで搬送される券紙Ｔ１はそのままの状態で磁気情報処理部２８へ搬送され、所定の位置ＭＩ１に磁気情報が書き込まれる。
【００３５】
大型サイズの券紙Ｔ２は、切断後に縦向きで搬送されるので、そのままの状態で姿勢転換部２６でガイドされながら搬送され、磁気情報処理部２８まで搬送される。券紙Ｔ２は、縦向きで搬送されるので、そのままの状態で、所定の位置ＭＩ２に磁気情報が書き込まれる。
【００３６】
【発明の効果】
以上説明したように本発明の発券ユニットの姿勢転換装置によれば、１つのロール紙から切り出された券紙のうち搬送方向に対して横向きで搬送される券紙を縦向きに回転させ、ガイドする姿勢転換部を備えたので、券紙を縦向きに転換して磁気情報処理部へ搬送することができる。
【００３７】
また、ロール紙から切り出された券紙が横向きで搬送された場合と縦向きで搬送されてきたときとで、姿勢転換と搬送ガイドに切換えるので、両サイズの券紙を正確に縦向きで搬送することができる。
【図面の簡単な説明】
【図１】本実施形態に係る姿勢転換装置を備えた発券ユニットの構造を概略的に示した図である。
【図２】本実施形態に係る姿勢転換装置の要部構成図である。
【図３】ロール紙の切断位置を示す図である。
【図４】姿勢転換部の平面図である。
【図５】姿勢転換部を搬送方向から見た図である。
【図６】姿勢転換部を搬送方向から見た図である。
【図７】搬送ベルトに対する姿勢転換部の位置関係を側面から見た図である。
【図８】搬送ベルトに対する姿勢転換部の位置関係を側面から見た図である。
【図９】小型サイズの券紙が搬送されてくるときの姿勢転換部による姿勢転換を時系列で図示したものである。
【図１０】小型サイズの券紙が搬送されてくるときの姿勢転換部による姿勢転換を時系列で図示したものである。
【図１１】小型サイズの券紙が搬送されてくるときの姿勢転換部による姿勢転換を時系列で図示したものである。
【図１２】大型サイズの券紙が搬送されていくときの図である。
【図１３】所定の位置ＭＩ１に磁気情報が書き込まれた券紙Ｔ１を示す図である。
【図１４】所定の位置ＭＩ２に磁気情報が書き込まれた券紙Ｔ２を示す図である。
【符号の説明】
１０　　　発券ユニット
１２　　　ロール紙
１５　　　搬送ベルト
１６　　　発券口
１７　　　キャッチングローラ
２０　　　姿勢転換装置
２１　　　制御部
２２　　　ローラ
２３　　　小型券用カッタ
２４　　　大型券用カッタ
２５　　　印字部
２６　　　姿勢転換部
２６Ａ　　搬送ガイド
２６Ｂ　　小型券姿勢転換部
２６Ｃ　　橋部
２６Ｄ　　小型券用ガイド
２７　　　ソレノイド
２８　　　磁気情報処理部
Ｔ　　　　券紙
【図１】
2004013496.tif 000003
【図２】
2004013496.tif 000004
【図３】
2004013496.tif 000005
【図４】
2004013496.tif 000006
【図５】
2004013496.tif 000007
【図６】
2004013496.tif 000008
【図７】
2004013496.tif 000009
【図８】
2004013496.tif 000010
【図９】
2004013496.tif 000011
【図１０】
2004013496.tif 000012
【図１１】
2004013496.tif 000013
【図１２】
2004013496.tif 000014
【図１３】
2004013496.tif 000015
【図１４】
2004013496.tif 000016